(57)【要約】【課題】構造が簡単且つ小型で、スペースを必要とせず、ガスの脈動を確実に低減できるガスの脈動低減方法、脈動低減システム及びそのための配管を得る。【解決手段】配管にガス流路を確保しつつ吸着材を所定の位置に保持し且つガスと吸着材が接するように構成された内管と内管より径を大きくした外管との間に吸着材を充填してなる脈動低減用配管を連結することによりガスの脈動を低減することを特徴とするガスの脈動低減方法、ガスの脈動低減システム及びそのためのガスの脈動低減用配管。【選択図】図１
2005331053.tif 000002
【特許請求の範囲】
【請求項１】
配管中のガスの脈動を低減する方法であって、配管に、ガス流路を確保しつつ吸着材を所定の位置に保持し且つガスと吸着材が接するように構成された内管と内管より径を大きくした外管との間に吸着材を充填してなる脈動低減用配管を連結することによりガスの脈動を低減することを特徴とするガスの脈動低減方法。
【請求項２】
請求項１に記載のガスの脈動低減方法において、前記吸着材が活性炭、ゼオライトから選ばれた吸着材であることを特徴とするガスの脈動低減方法。
【請求項３】
請求項１または２に記載のガスの脈動低減方法において、前記脈動を低減するガスが都市ガス、メタン、エタン、プロパン、ブタン、水素、空気または二酸化炭素であることを特徴とするガスの脈動低減方法。
【請求項４】
請求項１乃至３のいずれか１項に記載のガスの脈動低減方法において、前記脈動低減用配管を、前記配管に対して、脈動発生源から流入する脈動を脈動低減用配管の吸着材が吸収し、ほぼ逆位相で放出して脈動を相殺する位置に配置することを特徴とするガスの脈動低減方法。
【請求項５】
請求項４に記載のガスの脈動低減方法において、前記配管に対する脈動低減用配管の配置個所を脈動発生源から脈動波長の１／４の箇所とすることを特徴とするガスの脈動低減方法。
【請求項６】
配管中のガスの脈動を低減するためのシステムであって、ガスが流通する配管に、多数の穴を穿設した内管と内管より径を大きくした外管との間に吸着材を充填してなる脈動低減用配管を連結してガスの脈動を低減するようにしてなることを特徴とするガスの脈動低減システム。
【請求項７】
請求項６に記載のガスの脈動低減システムにおいて、前記吸着材が活性炭、ゼオライトから選ばれた吸着材であることを特徴とするガスの脈動低減システム。
【請求項８】
請求項６または７に記載のガスの脈動低減システムにおいて、前記脈動を低減するガスが都市ガス、メタン、エタン、プロパン、ブタン、水素、空気または二酸化炭素であることを特徴とするガスの脈動低減システム。
【請求項９】
請求項６乃至８のいずれか１項に記載のガスの脈動低減システムにおいて、前記配管に対して、脈動低減用配管を、脈動発生源から流入する脈動を脈動低減用配管の吸着材が吸収し、ほぼ逆位相で放出して脈動を相殺する位置に配置してなることを特徴とするガスの脈動低減システム。
【請求項１０】
請求項９に記載のガスの脈動低減システムにおいて、前記配管に対する脈動低減用配管の配置個所を脈動発生源からの脈動波長の１／４の箇所としてなることを特徴とするガスの脈動低減システム。
【請求項１１】
配管中のガスの脈動を低減するための配管であって、ガス流路を確保しつつ吸着材を所定の位置に保持し且つガスと吸着材が接するように構成された内管と内管より径を大きくした外管との間に吸着材を充填してなることを特徴とするガスの脈動低減用配管。
【請求項１２】
請求項１１に記載のガスの脈動低減用配管において、前記ガス流路を確保しつつ吸着材を所定の位置に保持し且つガスと吸着材が接するように構成された内管が多数の穴を穿設した内管であることを特徴とするガスの脈動低減用配管。
【請求項１３】
請求項１１または１２に記載のガスの脈動低減用配管において、前記吸着材が活性炭、ゼオライトから選ばれた吸着材であることを特徴とするガスの脈動低減用配管。
【請求項１４】
請求項１１乃至１３のいずれか１項に記載のガスの脈動低減用配管において、前記脈動を低減するガスが都市ガス、メタン、エタン、プロパン、ブタン、水素、空気または二酸化炭素であることを特徴とするガスの脈動低減用配管。
【請求項１５】
請求項１１乃至１４のいずれか１項に記載のガスの脈動低減用配管が、配管に対して、脈動発生源から流入する脈動を脈動低減用配管の吸着材が吸収し、ほぼ逆位相で放出して脈動を相殺する位置に配置するための脈動低減用配管であることを特徴とするガスの脈動低減用配管。
【請求項１６】
前記ガスの脈動低減用配管が、脈動発生源から脈動波長の１／４の箇所に配置するための脈動低減用配管であることを特徴とする請求項１１乃至１５のいずれか１項に記載のガスの脈動低減用配管。
【発明の詳細な説明】
【技術分野】
【０００１】
本発明は、ガスの脈動低減方法、脈動低減システム及びそのための脈動低減用配管に関し、より詳しくは、配管中のガスの脈動を抑制し低減する方法、そのためのシステム及び脈動低減用配管に関する。
【背景技術】
【０００２】
ガスの脈動は、ガスの昇圧機や間欠的に大量のガスを消費するような機器からガス供給側に起こることが知られている。ガス供給側に起こるガスの脈動は、計測精度を悪化させたり、ガス燃焼機器の動作や他のガス設備の燃焼に悪影響を与える可能性がある。例えば、ガスタービンやガスエンジンに燃料ガスを供給するに際しては、燃料ガスを昇圧する必要があり、このため昇圧機（コンプレッサ）が使用されている。昇圧機が単気筒の場合、昇圧機の動作周波数と同等の周波数の圧力変動がガス供給側に生じる。このほか、パルス燃焼式ガス調理器のような間欠的に大量のガスを消費する機器においても同様の問題が生じる可能性がある。
【０００３】
そのような配管中に流れる燃料ガスが圧力変動により脈動する場合の対策としては、従来、タンク（バッファタンク）を用いてコンプレッサから送り出された燃料ガスの脈動を吸収し、ガス供給側に対する脈動の影響を少なくしている。その脈動レベルが小さい場合は、配管の管体容積を大きくすることで脈動を吸収できるが、脈動発生源であるガスタービンやボイラなどから発生する脈動のように脈動レベルが大きい場合には、それに対応する大きなバッファタンクが必要となり、現にそのようなタンクを配置するのが一般的である。
【発明の開示】
【発明が解決しようとする課題】
【０００４】
そのようなバッファタンクは配管の途中に配置される。配管中を流通するガスに生じた脈動は、バッファタンクで低減され、脈動が低減されたガスはバッファタンクに続く配管を経てガス消費機器等へ供給される。しかし、そのように大きなバッファタンクを配管に配置するには、そのためのスペースが必要となり、配管は通常、狭隘な場所に配置されるため邪魔になる。
【０００５】
また、バッファタンクに代わるものとして、これまで幾つかの提案がなされている。例えば、特開２００２−３４０２７８号公報では、マイクロガスタービンに連結する配管の上流側に共鳴タンクを膨張タンクと直列に設けている。これにより、ガスコンプレッサの間欠的なガス吸気に伴う脈動が上流側に伝播する際に膨張タンク及び共鳴タンクにより減衰されるというものである。しかしこれは、共鳴タンクと膨張タンクの二つの仕掛けを必要するだけでなく、そのためのスペースも必要となる。
【０００６】
【特許文献１】特開２００２−３４０２７８号公報
【０００７】
そこで、本発明は、その構造が簡単且つ小型で、スペースを必要とせず、しかも脈動を確実に低減できるガスの脈動低減方法、脈動低減システム及びそのための脈動低減用配管を提供することを目的とするものである。
【課題を解決するための手段】
【０００８】
本発明は、（１）配管中のガスの脈動を低減する方法であって、配管に、ガス流路を確保しつつ吸着材を所定の位置に保持し且つガスと吸着材が接するように構成された内管と内管より径を大きくした外管との間に吸着材を充填してなる脈動低減用配管を連結することによりガスの脈動を低減することを特徴とするガスの脈動低減方法を提供する。
【０００９】
本発明は、（２）配管中のガスの脈動を低減するためのシステムであって、ガスが流通する配管に、多数の穴を穿設した内管と内管より径を大きくした外管との間に吸着材を充填してなる脈動低減用配管を連結してガスの脈動を低減するようにしてなることを特徴とするガスの脈動低減システムを提供する。
【００１０】
本発明は、（３）配管中のガスの脈動を低減するための配管であって、ガス流路を確保しつつ吸着材を所定の位置に保持し且つガスと吸着材が接するように構成された内管と内管より径を大きくした外管との間に吸着材を充填してなることを特徴とするガスの脈動低減用配管を提供する。
【発明を実施するための最良の形態】
【００１１】
本発明（１）は、配管中のガスの脈動を低減する方法である。そして、配管に、ガス流路を確保しつつ吸着材を所定の位置に保持し且つガスと吸着材が接するように構成された内管と内管より径を大きくした外管との間に吸着材を充填してなる脈動低減用配管を連結することによりガスの脈動を低減することを特徴とする。また、本発明（２）は、配管中のガスの脈動を低減するためのシステムである。そして、ガスが流通する配管に、多数の穴を穿設した内管と内管より径を大きくした外管との間に吸着材を充填してなる脈動低減用配管を連結してガスの脈動を低減するようにしてなることを特徴とする。
【００１２】
本発明（３）は、配管中のガスの脈動を低減するための配管である。そして、ガス流路を確保しつつ吸着材を所定の位置に保持し且つガスと吸着材が接するように構成された内管と内管より径を大きくした外管との間に吸着材を充填してなることを特徴とする。図１は、その「配管中のガスの脈動を低減するための配管」の態様を説明する図である。
【００１３】
図１（ａ）のとおり、多数の穴２を穿設した小径の管（内管）１を囲んで大径の管（外管）３を配置する。４、５は外管３の前後の開口を閉塞する蓋である。そして、内管１と外管３との間に吸着材６を充填し、外管３の前後の開口を蓋４、５によりガス密に閉塞する。図１（ｂ）〜（ｄ）はその閉塞後の状態を示す図で、図１（ｃ）は図１（ｂ）中Ａ−Ａ線断面図、図１（ｄ）は図１（ｂ）中Ｂ−Ｂ線断面図である。吸着材としては多孔質の材料を用いるが、その例としては活性炭、ゼオライトなどが挙げられる。それらは粒状、顆粒状、ペレット状、その他適宜の形状で用いることができる。こうして、本発明に係る「配管中のガスの脈動を低減するための配管」７が構成される。以下、このような配管を「脈動低減用配管」という。
【００１４】
ここで、上記内管１に相当する配管は、ガス流路を確保しつつ吸着材を所定の位置に保持し、且つ、ガスと吸着材が接するように構成されていればよく、例えば図１で示すような多数の穴を穿設した管のほか、吸着材が内管１の内部（ガス流路）に進入しない程度のメッシュの大きさを持つ金属や樹脂製の網を筒状に構成したものなど各種態様で構成できる。
【００１５】
本発明においては、そのように構成した脈動低減用配管を、脈動発生源への燃料ガスの供給配管に配置する。図２は、その配置態様を説明する図である。図２中、８、８´は通常のガス配管、９はガスメータ、１０は脈動低減用配管、１１はガス湯沸かし器やガスエンジンやボイラ等の脈動発生源である。図２のとおり、脈動低減用配管１０を脈動発生源１１への通常のガス配管８、８´に配置する。これにより、脈動発生源１１からの脈動を吸収し、通常の配管８、８に設置されているガスメータ９等への悪影響を無くすることができる。
【００１６】
そのように脈動低減用配管は、ガスが流通する配管に配置するが、流入するガスの脈動を脈動低減用配管の吸着材が吸収し、ほぼ逆位相で放出して脈動を相殺する位置に配置するのが好ましい。その態様の一つとして、配管に対する脈動低減用配管の配置箇所を脈動発生源から脈動波長の１／４程度の箇所に配置するのが好ましい。なお、脈動低減用配管は例えば１０〜３０ｃｍというように長さをもつが、脈動発生源からのそのような配置箇所は、その中央部を目安に脈動発生源側の先端から後端までの幅で適宜選定して配置する。脈動低減用配管の脈動発生源側の管端で同相で反射し、入力箇所に反射して伝搬してきたときにちょうど打ち消すことになるからである。脈動低減用配管同様に、ヘルムホルツ共鳴を用いた吸音についても管端から音響エネルギがちょうど逆相で放出され、脈動を打ち消すことになる。また、他の態様として、同一配管径で管の長さが１／２だけ異なる二つの管で接続することもできる。
【００１７】
以下、本発明に係る脈動低減用配管を用いる方法及びシステムを従来技術と対比してさらに詳しく説明する。図３は従来における通常のシステム例、図４は、図３のような通常のシステムに対する従来の脈動対応システム例、図５は本発明に係る脈動低減方法及び脈動低減システムを説明する図である。
【００１８】
図３において、都市ガス等の燃料ガスが配管１２から供給される。燃料ガスは、ガスメータ１３を経て、コンプレッサ１５で昇圧された後、ガスタービン１６に供給される。１４はガスメータ１３とコンプレッサ１５との間の配管、１７はコンロ等のガス燃焼機器である。ここで、コンプレッサ１５がレシプロ式等である場合にはガス吸気を間欠的に行うため、この作動に伴い配管１４及びその上流側に圧力変動が生じる。これが周期的に起こると脈動となるが、脈動幅が大きい脈動は、配管１４の上流に伝播すると上流側に配置されたガスメータ１３の計測精度を悪化させたり、ガス燃焼機器１７の動作や他のガス設備の燃焼に悪影響を与える可能性がある。
【００１９】
その対策として、従来、例えば図４のような脈動対応システムが採られている。ガスメータ１３とコンプレッサ１５との間の配管１４にガス溜め形式の脈動低減器１８を設ける。脈動低減器１８はその内腔がガス溜め１９となり、これによりガス脈動を防止するものである。しかし、その内腔容積、外形は大きく、このためそれを設置するための面積も大きくなる。加えて、ガス溜め１９の容器面からは音源面積が大きいために騒音を発することもある。ところが、小型のガスタービン発電装置は、市街地の小面積の敷地やオフィスビル内に設置されることが多く、ガス溜め１９の設置面積や騒音により、設置場所の確保が困難となる場合もある。
【００２０】
これに対して、本発明においては、図５のとおり、ガスメータ１３とコンプレッサ１５との間に脈動低減用配管２０を設ける。これにより、図４のようなスペースを必要とせずに、ガスの脈動を低減することができる。本発明の脈動低減用配管２０は小型且つその構造が簡単で、スペースを必要とせず、しかもガスの脈動を確実に低減できる。本発明は、脈動を低減する必要のあるいずれのガスにも適用される。その例としては都市ガス、メタン、エタン、プロパン、ブタン、水素、空気、あるいは二酸化炭素などが挙げられ、このうちメタン、エタン、プロパン、ブタンは都市ガスの構成ガスでもある。
【００２１】
なお、特開平８−２４０２０１号公報には、高圧流体の圧力、流量、脈動を吸収する脈動吸収用の脈動フィルタが開示され、その使用態様として、脈動フィルタを圧力管路に設けた空部に配置する例や、脈動フィルタを中空パイプ状に造形する例などが記載されている。しかし、その脈動フィルタは、微小独立気泡を持つ弾性体で構成され、しかも高圧流体すなわち油の中に浸漬せしめて配置されており、本発明のように、気体を対象とするものではなく、吸着材を用いるのでもない。
【００２２】
【特許文献２】特開平８−２４０２０１号公報
【００２３】
ここで、一般的な吸着材は広い比表面積を持ち、ガス吸着性能を持つことが分かっている。図６はガス貯蔵タンクの貯蔵効率と圧力との関係の一例を示す図である。縦軸はガス貯蔵量、横軸は圧力である。ライン１は、吸着貯蔵した場合の貯蔵効率の圧力依存性を示すグラフであり、ライン２は、圧縮貯蔵した場合の貯蔵効率の圧力依存性を示すグラフである。図６のように、吸着貯蔵は圧縮貯蔵よりもガス貯蔵量が多いため、通常の空気タンクを用いるよりも実質的に大量のガスを貯蔵することができる。本発明ではこのような事実を利用し、この点を大きな特徴としている。
【実施例】
【００２４】
以下、実施例を基に本発明をさらに詳しく説明するが、本発明がこれら実施例に限定されないことはもちろんである。
【００２５】
〈実施例１〉
図７は、実施例１で用いた試験装置である。本試験装置は、本発明による効果を確認するための装置として工夫したものである。図７中、２１はガス導入管、２２は大径の円筒容器で、その底部周壁にガス導入管２１が配置され、その上蓋の中央部に円形のダイヤフラム（振動板）２３が配置されている。ダイヤフラム２３は、加振器（図示は省略している）からの振動により振動し、円筒容器２２内のガスに脈動を与える。円筒容器２２内に、小径の円筒容器２４を配置する。小径円筒容器２４は時計皿形式の容器で、その上部が開口している。２５は容器２４の凹部である。その側部にガス放出導管２６を配置し、ガス放出導管２６は円筒容器２２の側壁を貫通して円筒容器２２の外部に延ばしている。
【００２６】
そして、円筒容器２２のガス導入管２１の近傍に圧力計ｃｈ１を、ガス放出導管２６に圧力計ｃｈ２を配置して、それぞれの箇所での圧力変動を計測する。本実験では、小径円筒容器２４を（ａ）空（つまり何も充填せず）、小径円筒容器２４の凹部２５に、（ｂ）ビーズを充填、同じく（ｃ）活性炭Ａを充填、同じく（ｄ）活性炭Ｂを充填の４つのケースのそれぞれについて試験した。ガスとして、通常の家庭向け都市ガス配管からガス導入管２１を介して都市ガスを導入し、加振器からダイヤフラム２３に対して、出力を５％（加振器の最大出力＝１００％、以下同じ）、１０％、５０％と変え、それぞれその周波数を変えた振動を付与して実施した。表１に（ｃ）〜（ｄ）で用いた活性炭Ａ及び活性炭Ｂの特性を示している。図８〜１７はその結果を示す図である。
【００２７】
【表１】
2005331053.tif 000003
【００２８】
図８〜９は出力を５％とした場合に計測された圧力である。図８〜９において、横軸は周波数、縦軸は圧力であり、この点、図１２〜１７についても同じである。図８はｃｈ１で計測されたピーク圧力、図９はｃｈ２で計測されたピーク圧力である。図８のとおり、ｃｈ１でのピーク圧力は、１０〜１００Ｈｚにわたるいずれの周波数でも（ａ）ビーズ充填の場合が最も大きく、以下（ｂ）空、（ｃ）活性炭Ａ充填、（ｄ）活性炭Ｂ充填の順に小さくなっている。ここで、（ａ）ビーズ充填の場合は、（ｂ）空に比べて圧力が大きいが、これは（ａ）ビーズ充填の場合、脈動圧力の低減どころか、反って脈動圧力を増加させる作用があることを示している。また、（ｃ）活性炭Ａ充填及び（ｄ）活性炭Ｂ充填の場合のピーク圧力については、（ｂ）空の場合より低く、円筒容器２２内でも、脈動圧力の低減作用があることを示している。
【００２９】
次に、図９のとおり、ｃｈ２でのピーク圧力は、１０Ｈｚから２０Ｈｚまでは図８に示すｃｈ１でのピーク圧力とほぼ同様であるが、３０Ｈｚから１００Ｈｚの範囲の周波数では、（ａ）ビーズ充填、（ｂ）空、（ｃ）活性炭Ａ充填、（ｄ）活性炭Ｂ充填のいずれの場合も、図８に示すｃｈ１で計測されたピーク圧力より相対的に高い。これは、小径円筒容器２４をダイヤフラム２３の直下に配置していることから、ダイヤフラム２３すなわち脈動源によって生じるガスの圧力変動が小径円筒容器２４の凹部２５に対して直接的に伝播するためと解される。そして、ｃｈ２でのピーク圧力は、ｃｈ１で計測されたピーク圧力の場合と同じく、１０〜１００Ｈｚにわたるいずれの周波数でも（ａ）ビーズ充填の場合が最も大きく、（ｂ）空、（ｃ）活性炭Ａ充填、（ｄ）活性炭Ｂ充填の順に小さくなっている。
【００３０】
図１０〜１１は、それぞれ、図８〜９における（ｂ）空、（ｃ）活性炭Ａ充填及び（ｄ）活性炭Ｂ充填でのピーク圧力を（ａ）ビーズ充填を基準にして示した図である。図１０〜１１のとおり、ｃｈ１でのピーク圧力及びｃｈ２でのピーク圧力ともに、１０〜１００Ｈｚにわたるいずれの周波数でも（ａ）ビーズ充填に比べて、（ｂ）空、（ｃ）活性炭Ａ充填、（ｄ）活性炭Ｂ充填の順に小さくなっている。
【００３１】
図１２〜１３は出力を１０％とした場合に計測されたピーク圧力である。図１２はｃｈ１で計測されたピーク圧力、図１２はｃｈ２で計測されたピーク圧力である。図１２〜１３のとおり、出力を１０％とした場合にも、出力を５％とした場合と同様の傾向を示している。また、図１２と図１３を対比すると明らかなとおり、ｃｈ２でのピーク圧力は、ｃｈ１で計測されたピーク圧力の場合より大きいが、（ａ）ビーズ充填の場合が最も大きく、（ｂ）空、（ｃ）活性炭Ａ充填、（ｄ）活性炭Ｂ充填の順に小さくなっており、（ｃ）活性炭Ａ充填及び（ｄ）活性炭Ｂ充填により脈動圧力の低減作用があることを示している。
【００３２】
図１４〜１５は出力を２０％とした場合、図１６〜１７は出力を５０％とした場合に計測されたピーク圧力である。このうち、図１４、図１６はｃｈ１で計測されたピーク圧力、図１５、図１７はｃｈ２で計測されたピーク圧力である。図１４〜１７から明らかなとおり、出力を２０％、また５０％とした場合にも、出力を５％、１０％とした場合と同様、（ｃ）活性炭Ａ充填及び（ｄ）活性炭Ｂ充填により脈動圧力の低減作用があることを示している。
【００３３】
〈実施例２〉
図１８は実施例２で用いた試験装置を示す図である。図１８中、２７はガス配管、２８はタンク、２９はガス配管、３０は図１８（ｂ）〜（ｃ）に示す配管、３１は市販の給湯器である。本試験では、配管３０として、それぞれ、図１８（ｂ）に示す吸着材充填なしの配管及び図１８（ｃ）に示す吸着材〔市販の活性炭Ａ（表１参照）〕充填の配管を配置した。このうち図１８（ｃ）に示す配管は本発明に係る脈動低減用配管に相当している。
【００３４】
また、タンク２８から給湯器３１までの配管の長さを約４００ｃｍとし、配管３０は給湯器からほぼ１００ｃｍの位置に配置した。ここで、給湯器３１から約４００ｃｍの位置にタンク２８を配置したのは、そこで必ず脈動の節ができるようにするためである。配管３０の配置個所は脈動発生源である給湯器からの脈動波長のほぼ１／４の箇所に相当している。測定個所は、図１９に示すＣＨ１、ＣＨ３、ＣＨ５、ＣＨ７、ＣＨ９、ＣＨ１１の６箇所とした。ＣＨ１とＣＨ３が当該配管３０の前方、ＣＨ５、ＣＨ７、ＣＨ９、ＣＨ１１の４個が当該配管３０の後方の位置である。
【００３５】
配管２７、タンク２８、配管２９、配管３０、配管２９を経て都市ガスを供給し、給湯器３１を作動して試験した。図２０〜２１はその結果を示す図である。図２０は吸着材充填なしの配管３０〔図１８（ｂ）参照〕を配置した場合、図２１は吸着材充填の配管３０〔図１８（ｃ）参照〕、すなわち本発明に係る脈動低減用配管を配置した場合の結果である。図２０〜２１において、横軸は時間（秒）、縦軸は圧力（ｋＰａ）である。
【００３６】
まず、図２０のとおり、吸着材充填なしの配管３０を配置した場合、各測定個所での圧力幅は大きく、例えば、ＣＨ３では２．４１〜２．０５ｋＰａ（振動幅＝０．３６ｋＰａ）の幅で脈動し、ＣＨ５では２．４５〜１．８９ｋＰａ（振動幅＝０．５６ｋＰａ）の幅で脈動している。
【００３７】
これに対して、図２１のとおり、吸着材充填の配管３０を配置した場合、圧力幅は、図２０の場合より相対的に小さいことが分かる。例えば、ＣＨ３では２．３５〜２．１８ｋＰａ（振動幅＝０．１７ｋＰａ）の幅で脈動している。これは、図２０での同じ箇所での振動幅０．３６ｋＰａに対して０．１９ｋＰａ（０．３６−０．１７＝０．１９）の低減に相当している。また、ＣＨ５では２．３７〜２．０２ｋＰａ（振動幅＝０．３５ｋＰａ）の幅で脈動し、図２０での同じ箇所での振動幅０．５６ｋＰａに対して０．３７ｋＰａ（０．５６−０．１９＝０．３７ｋＰａ）の低減に相当している。
【００３８】
このほか、ＣＨ９の箇所においては、図２０では２．０５〜２．３６ｋＰａ（振動幅＝０．３１ｋＰａ）の幅であるのに対して、図２１では２．１７〜２．３２ｋＰａ（振動幅＝０．１５ｋＰａ）の幅であり、脈動圧力が０．３１−０．１５＝０．１６ｋＰａも低減している。また、ＣＨ１１の箇所においては、図２０では２．２１〜２．０８ｋＰａ（振動幅＝０．１３ｋＰａ）の幅であるのに対して、図２１では２．２１〜２．１５ｋＰａ（振動幅＝０．０．０６ｋＰａ）の幅であり、０．１６ｋＰａ（０．１３−０．０６＝０．１６ｋＰａ）も低減している。
【図面の簡単な説明】
【００３９】
【図１】本発明に係る「ガスの脈動低減用配管」の態様を説明する図
【図２】本発明に係る脈動低減用配管の配置態様を説明する図
【図３】従来における通常のシステム例を説明する図
【図４】図３のような通常のシステムに対する従来の脈動対応システム例を説明する図
【図５】本発明に係る脈動低減方法及びシステムを説明する図
【図６】ガス貯蔵タンクの貯蔵効率と圧力との関係の一例を示す図
【図７】実施例１で用いた試験装置を示す図
【図８】実施例１の結果を示す図
【図９】実施例１の結果を示す図
【図１０】実施例１の結果を示す図
【図１１】実施例１の結果を示す図
【図１２】実施例１の結果を示す図
【図１３】実施例１の結果を示す図
【図１４】実施例１の結果を示す図
【図１５】実施例１の結果を示す図
【図１６】実施例１の結果を示す図
【図１７】実施例１の結果を示す図
【図１８】実施例２で用いた試験装置を示す図
【図１９】図１８の試験装置での圧力測定個所を示す図
【図２０】実施例２の結果を示す図
【図２１】実施例２の結果を示す図
【符号の説明】
【００４０】
１  小径の配管
２  多数の穴
３  大径の配管
４、５  大径配管３の前後の開口を閉塞する蓋
６  吸着材
７  配管中のガスの脈動を低減するための配管
８、８´  通常のガス配管
９  ガスメータ
１０  脈動低減用配管
１１  ガス湯沸かし器やガスエンジンやボイラ等の脈動発生源
１２、１４  配管
１３  ガスメータ
１５  コンプレッサ
１６  ガスタービン
１７  コンロ等のガス燃焼機器
１８  ガス溜め形式の脈動低減器
１９  ガス溜め
２０  脈動低減用配管
２１  ガス導入管
２２  大径の円筒容器
２３  ダイヤフラム（振動板）
２４  小径の円筒容器
２５  容器の凹部
２６  ガス放出導管
２６  ガス排出管
２７、２９  ガス配管
２８  タンク
３０  配管
３１  市販の給湯器
【図１】
2005331053.tif 000004
【図２】
2005331053.tif 000005
【図３】
2005331053.tif 000006
【図４】
2005331053.tif 000007
【図５】
2005331053.tif 000008
【図６】
2005331053.tif 000009
【図７】
2005331053.tif 000010
【図８】
2005331053.tif 000011
【図９】
2005331053.tif 000012
【図１０】
2005331053.tif 000013
【図１１】
2005331053.tif 000014
【図１２】
2005331053.tif 000015
【図１３】
2005331053.tif 000016
【図１４】
2005331053.tif 000017
【図１５】
2005331053.tif 000018
【図１６】
2005331053.tif 000019
【図１７】
2005331053.tif 000020
【図１８】
2005331053.tif 000021
【図１９】
2005331053.tif 000022
【図２０】
2005331053.tif 000023
【図２１】
2005331053.tif 000024